(57)【要約】【課題】  Ｘ線検出部の退避動作を任意の高さ位置で実行することが可能な近接操作式Ｘ線透視撮影装置を提供する。【解決手段】  この発明に係る近接操作式Ｘ線透視撮影装置と懸垂型のＸ線照射部とを使用してＸ線撮影を行う時には、フラットパネルディテクタ１３を支持するデッキ部２６を退避位置に移動させる。このときには、フラットパネルディテクタ１３を支持するデッキ部２６は、タワー部２５における被検者Ｍ側の表面より被検者Ｍ側の領域において退避動作を行うことが可能であることから、フラットパネルディテクタ１３を支持するデッキ部２６の高さ位置にかかわらず、この退避動作を実行することが可能となる。【選択図】        図４
2019213583.tif 000002
【特許請求の範囲】
【請求項１】
被検者を載置する天板を備えた本体と、
前記天板における前記被検者と前記天板を挟んで逆側に配設されたＸ線照射部と、
前記天板の側方に配設されたタワー部と、
前記タワー部に沿って移動する遊動子と、
前記遊動子に案内され、前記遊動子の移動方向と交差する方向に移動するデッキ部と、
前記デッキ部に支持された第１のＸ線検出部と、
前記本体に配設され、懸垂型のＸ線照射部を使用してＸ線撮影を実行する時に使用される第２のＸ線検出部と、
を備えた近接操作式Ｘ線透視撮影装置において、
前記第１のＸ線検出部としてフラットパネルディテクタを使用するとともに、
前記遊動子は、前記フラットパネルディテクタを支持する前記デッキ部を、前記タワー部における前記被検者側の表面より前記被検者側の領域で、前記遊動子の移動方向と交差する方向に移動するように案内することを特徴とする近接操作式Ｘ線透視撮影装置。
【請求項２】
請求項１に記載の近接操作式Ｘ線透視撮影装置において、
前記Ｘ線照射部、前記本体および前記フラットパネルディテクタを、水平方向を向く軸を中心に回動させる回動機構をさらに備える近接操作式Ｘ線透視撮影装置。
【発明の詳細な説明】
【技術分野】
【０００１】
この発明は、Ｘ線透視およびＸ線撮影を実行するための透視撮影装置に関し、特に、近接操作式Ｘ線透視撮影装置に関する。
【背景技術】
【０００２】
このような近接操作式Ｘ線透視撮影装置は、オペレータが装置に近接した位置でＸ線透視を実行するものであり、Ｘ線管およびコリメータやＸ線検出部等を備えた撮影系を移動させるときにオペレータが操作部におけるハンドル部を操作する構成を有する。なお、このような近接操作式Ｘ線透視撮影装置は、天井から垂下される懸垂型のＸ線照射部を利用したＸ線撮影を実行するために、内部に、Ｘ線フィルムを収納したカセッテやフラットパネルディテクタ等の第２のＸ線検出部を装着可能となっている（特許文献１参照）。
【０００３】
図６は、従来の近接操作式Ｘ線透視撮影装置によりＸ線透視を行う状態を示す正面図であり、図７は、その側面図である。
【０００４】
この近接操作式Ｘ線透視撮影装置は、被検者Ｍを載置するための天板２３を備えた本体２２と、本体２２を支持する基部２１と、天板２３上に載置された被検者Ｍとは逆側、すなわち、天板２３に下側に配設されたＸ線管１１と、このＸ線管１１に接続されたコリメータ１２とから構成されるＸ線照射部と、天板２３の側方に配設された支柱であるタワー部２５と、このタワー部２５に沿って移動する遊動子２７と、この遊動子２７に案内されて遊動子２７の移動方向と交差する方向に移動するアームであるデッキ部２６とを備える。タワー部２５とＸ線管１１とは、連結部２４により連結されており、タワー部２５とＸ線管１１およびコリメータ１２は、互いに同期して被検者Ｍの体軸方向（図６における左右方向であり、図７における紙面に垂直な方向）に往復移動する。
【０００５】
遊動子２７は、側面視において略Ｌ字状の形状を有する。タワー部２５には、図示しないレール等の案内部材が配設されており、遊動子２７はこの案内部材の作用により、タワー部２５に沿って移動可能となっている。また、デッキ部２６にも、図示しないレール等の案内部材が配設されており、デッキ部２６はこの案内部材の作用により、遊動子２７に沿って移動可能となっている。
【０００６】
デッキ部２６には、イメージインテンシファイア（Ｉ．Ｉ．）１８とカメラ１９とから構成されるＸ線検出部が支持されている。また、デッキ部２６の先端には、デッキ部２６をイメージインテンシファイア１８およびカメラ１９からなるＸ線検出部とともに移動させる時に使用される操作部２９が配設されている。また、本体２２には、後述する懸垂型のＸ線照射部を使用してＸ線撮影を実行する時に使用される第２のＸ線検出部１４が配設されている。この第２のＸ線検出部１４は、Ｘ線フィルムを収納したカセッテやフラットパネルディテクタ等から構成される。
【０００７】
一方、この近接操作式Ｘ線透視撮影装置とともに使用される懸垂型のＸ線照射部は、Ｘ線管１５と、このＸ線管１５に接続されたコリメータ１６とから構成される。Ｘ線管１５は、テレスコープ式（入れ子式）の構造を有する支持部３２に支持されており、この支持部３２は、天井３０に配設された図示しないレール機構により互いに直交する二方向に移動可能な移動部３１により支持されている。この懸垂型のＸ線照射部は、図示を省略した立位撮影台あるいは臥位撮影台を利用したＸ線撮影にも使用される。
【０００８】
図８は、従来の近接操作式Ｘ線透視撮影装置と懸垂型のＸ線照射部とを使用してＸ線撮影を行う状態を示す正面図であり、図９は、その側面図である。なお、これらの図においては、懸垂型のＸ線照射部を使用して被検者Ｍの腹部付近のＸ線撮影を実行する状態を示している。
【０００９】
懸垂型のＸ線照射部を使用してＸ線撮影を行う時には、イメージインテンシファイア１８とカメラ１９とを使用する必要はないことから、懸垂型のＸ線照射部によるＸ線撮影の支障とならない位置まで退避する必要がある。このため、最初に、イメージインテンシファイア１８とカメラ１９とを支持するデッキ部２６が、タワー部２５や遊動子２７とともに、図８に示すように、被検者Ｍの頭部方向に移動する。そして、イメージインテンシファイア１８とカメラ１９とが、デッキ部２６とともに、図９に示すように、タワー部２５側に移動する。
【００１０】
これにより、図８および図９に示すように、懸垂型のＸ線照射部におけるＸ線管１５およびコリメータ１６が、被検者Ｍの直上の位置に配置される。また、第２のＸ線検出部１４が、懸垂型のＸ線照射部におけるＸ線管１５およびコリメータ１６と対向する位置に配置される。
【先行技術文献】
【特許文献】
【００１１】
【特許文献１】特開２００１−５７９７１号公報
【発明の概要】
【発明が解決しようとする課題】
【００１２】
イメージインテンシファイア１８およびカメラ１９は、一般的に、大きな重量を有する。このため、これらを支持するデッキ部２６や遊動子２７は、十分な寸法と強度を備える必要があり、デッキ部２６と遊動子２７との摺動領域も、十分なサイズを確保する必要がある。このような要請から、イメージインテンシファイア１８とカメラ１９とが、デッキ部２６とともにタワー部２５側に移動した時には、図９に示すように、デッキ部２６における被検者Ｍとは逆側の先端がタワー部２５よりも被検者Ｍの逆側まで突出する。
【００１３】
デッキ部２６および遊動子２７がこのような構造をとることから、イメージインテンシファイア１８とカメラ１９とを、デッキ部２６とともにタワー部２５側に移動させる時には、図９に示すように、デッキ部２６をタワー部２５の上端より上方に移動させた後に、デッキ部２６をタワー部２５側に移動させる必要がある。すなわち、イメージインテンシファイア１８およびカメラ１９を退避させる時には、デッキ部２６をタワー部２５の上端より上方の位置、すなわち、昇降ストロークの上端となる位置に配置する必要があることになる。
【００１４】
イメージインテンシファイア１８およびカメラ１９をデッキ部２６とともに移動させる時には、オペレータが操作部２９を把持して移動を補助することから、デッキ部２６をタワー部２５の上端より上方の位置に配置した状態で操作部２９を把持して操作することは極めて困難であり、オペレータの身長が低かった場合等においては踏み台等が必要となる場合がある。このため、タワー部２５の高さを制限する必要が生ずる場合もあった。
【００１５】
この発明は上記課題を解決するためになされたものであり、Ｘ線検出部の退避動作を任意の高さ位置で実行することが可能な近接操作式Ｘ線透視撮影装置を提供することを目的とする。
【課題を解決するための手段】
【００１６】
請求項１に記載の発明は、被検者を載置する天板を備えた本体と、前記天板における前記被検者と前記天板を挟んで逆側に配設されたＸ線照射部と、前記天板の側方に配設されたタワー部と、前記タワー部に沿って移動する遊動子と、前記遊動子に案内され、前記遊動子の移動方向と交差する方向に移動するデッキ部と、前記デッキ部に支持された第１のＸ線検出部と、前記本体に配設され、懸垂型のＸ線照射部を使用してＸ線撮影を実行する時に使用される第２のＸ線検出部と、を備えた近接操作式Ｘ線透視撮影装置において、前記第１のＸ線検出部としてフラットパネルディテクタを使用するとともに、前記遊動子は、前記フラットパネルディテクタを支持する前記デッキ部を、前記タワー部における前記被検者側の表面より前記被検者側の領域で、前記遊動子の移動方向と交差する方向に移動するように案内することを特徴とる。
【００１７】
請求項２に記載の発明は、請求項１に記載の発明において、前記Ｘ線照射部、前記本体および前記フラットパネルディテクタを、水平方向を向く軸を中心に回動させる回動機構をさらに備える。
【発明の効果】
【００１８】
請求項１に記載の発明によれば、第１のＸ線検出部として軽量のフラットパネルディテクタを使用することにより、このフラットパネルディテクタを支持するデッキ部と遊動子の摺動領域を小さくし、デッキ部をタワー部における被検者側の表面より被検者側の領域で遊動子の移動方向と交差する方向に移動することを可能とした。これにより、フラットパネルディテクタの退避動作を任意の高さ位置で実行することができ、オペレータによる操作性を向上させることが可能となる。また、これに伴って、タワー部２５の高さを高くして天板とフラットパネルディテクタとの距離を十分に確保することができ、Ｘ線透視およびＸ線撮影の自由度を向上させることが可能となる。
【００１９】
請求項２に記載の発明によれば、Ｘ線照射部、本体およびフラットパネルディテクタを、水平方向を向く軸を中心に回動させ、天板の表面を鉛直方向に配置してＸ線撮影またはＸ線透視を実行する時に、天板とフラットパネルディテクタとの距離を十分に確保することができることから、大型の車椅子上の被検者のＸ線撮影またはＸ線透視を行う場合においても、容易にＸ線撮影またはＸ線透視を行うことが可能となる。
【図面の簡単な説明】
【００２０】
【図１】この発明に係る近接操作式Ｘ線透視撮影装置によりＸ線透視を行う状態を示す正面図である。
【図２】この発明に係る近接操作式Ｘ線透視撮影装置によりＸ線透視を行う状態を示す側面図である。
【図３】この発明に係る近接操作式Ｘ線透視撮影装置と懸垂型のＸ線照射部とを使用してＸ線撮影を行う状態を示す正面図である。
【図４】この発明に係る近接操作式Ｘ線透視撮影装置と懸垂型のＸ線照射部とを使用してＸ線撮影を行う状態を示す側面図である。
【図５】この発明に係る近接操作式Ｘ線透視撮影装置において、天板２３の表面を鉛直軸方向に向けてＸ線透視を実行する時の概要図である。
【図６】従来の近接操作式Ｘ線透視撮影装置によりＸ線透視を行う状態を示す正面図である。
【図７】従来の近接操作式Ｘ線透視撮影装置によりＸ線透視を行う状態を示す側面図である。
【図８】従来の近接操作式Ｘ線透視撮影装置と懸垂型のＸ線照射部とを使用してＸ線撮影を行う状態を示す正面図である。
【図９】従来の近接操作式Ｘ線透視撮影装置と懸垂型のＸ線照射部とを使用してＸ線撮影を行う状態を示す側面図である。
【発明を実施するための形態】
【００２１】
以下、この発明の実施の形態を図面に基づいて説明する。図１は、この発明に係る近接操作式Ｘ線透視撮影装置によりＸ線透視を行う状態を示す正面図であり、図２は、その側面図である。
【００２２】
この近接操作式Ｘ線透視撮影装置は、上述した従来の近接操作式Ｘ線透視撮影装置と同様、被検者Ｍを載置するための天板２３を備えた本体２２と、本体２２を支持する基部２１と、天板２３上に載置された被検者Ｍとは逆側、すなわち、天板２３に下側に配設されたＸ線管１１と、このＸ線管１１に接続されたコリメータ１２とから構成されるＸ線照射部と、天板２３の側方に配設された支柱であるタワー部２５と、このタワー部２５に沿って移動する遊動子２７と、この遊動子２７に案内されて遊動子２７の移動方向と交差する方向に移動するアームであるデッキ部２６とを備える。タワー部２５とＸ線管１１とは、連結部２４により連結されており、タワー部２５とＸ線管１１およびコリメータ１２は、互いに同期して被検者Ｍの体軸方向（図１における左右方向であり、図２における紙面に垂直な方向）に往復移動する。
【００２３】
遊動子２７は、側面視において略Ｌ字状の形状を有する。タワー部２５には、図示しないレール等の案内部材が配設されており、遊動子２７はこの案内部材の作用により、タワー部２５に沿って移動可能となっている。また、デッキ部２６にも、図示しないレール等の案内部材が配設されており、デッキ部２６はこの案内部材の作用により、遊動子２７に沿って移動可能となっている。
【００２４】
デッキ部２６には、第１のＸ線検出部としてのフラットパネルディテクタ１３が支持されている。また、デッキ部２６の先端には、デッキ部２６をフラットパネルディテクタ１３とともに移動させる時に使用される操作部２９が配設されている。また、本体２２には、懸垂型のＸ線照射部を使用してＸ線撮影を実行する時に使用される第２のＸ線検出部１４が配設されている。この第２のＸ線検出部１４は、Ｘ線フィルムを収納したカセッテやフラットパネルディテクタ等から構成される。
【００２５】
なお、Ｘ線管１１およびコリメータ１２からなるＸ線照射部、本体２２およびフラットパネルディテクタ１３は、基部２１内に配設された図示を省略した回動機構により、水平方向を向く軸を中心に回動させることが可能となる。この時には、天板２３の表面が鉛直軸方向を向くことになり、例えば、立位状態の被検者Ｍに対してＸ線透視を実行することが可能となる。
【００２６】
この近接操作式Ｘ線透視撮影装置とともに使用される懸垂型のＸ線照射部は、Ｘ線管１５と、このＸ線管１５に接続されたコリメータ１６とから構成される。Ｘ線管１５は、テレスコープ式の構造を有する支持部３２に支持されており、この支持部３２は、天井３０に配設された図示しないレール機構により互いに直交する二方向に移動可能な移動部３１により支持されている。この懸垂型のＸ線照射部は、図示を省略した立位撮影台あるいは臥位撮影台を利用したＸ線撮影にも使用される。
【００２７】
図３は、この発明に係る近接操作式Ｘ線透視撮影装置と懸垂型のＸ線照射部とを使用してＸ線撮影を行う状態を示す正面図であり、図４は、その側面図である。なお、これらの図においては、懸垂型のＸ線照射部を使用して被検者Ｍの腹部付近のＸ線撮影を実行する状態を示している。
【００２８】
フラットパネルディテクタ１３は、イメージインテンシファイア１８およびカメラ１９と比較して、その重量は極めて小さいものとなる。このため、フラットパネルディテクタ１３を支持するデッキ部２６や遊動子２７は、上述した従来のイメージインテンシファイア１８およびカメラ１９を使用する構成と比較して、寸法と強度を小さなものとしても差し支えないことから、デッキ部２６と遊動子２７との摺動領域も小さなものとすることができる。従って、遊動子２７は、フラットパネルディテクタ１３を支持するデッキ部２６を、図２および図４に示すように、タワー部２５における被検者Ｍ側の表面より被検者Ｍ側の領域で、遊動子２７の昇降方向と交差する方向に移動するように案内することが可能となる。
【００２９】
デッキ部２６および遊動子２７が図２および図４に示すように、タワー部２５における被検者Ｍ側の表面より被検者Ｍ側の領域で、デッキ部２６を遊動子２７の昇降方向と交差する方向に移動するように案内することが可能である場合においては、デッキ部２６および遊動子２７が任意の高さ位置に配置された状態において、フラットパネルディテクタ１３を支持するデッキ部２６を、懸垂型のＸ線照射部をする被検者ＭのＸ線撮影に支障のない待機位置に移動させることが可能となる。
【００３０】
この発明に係る近接操作式Ｘ線透視撮影装置と懸垂型のＸ線照射部とを使用してＸ線撮影を行う時には、フラットパネルディテクタ１３を支持するデッキ部２６を、タワー部２５や遊動子２７とともに、図３に示すように、被検者Ｍの頭部方向に移動させる。そして、フラットパネルディテクタ１３をデッキ部２６とともに、図４に示すように、タワー部２５側に移動させる。これにより、図３および図４に示すように、懸垂型のＸ線照射部におけるＸ線管１５およびコリメータ１６が、被検者Ｍの直上の位置に配置される。また、第２のＸ線検出部１４が、懸垂型のＸ線照射部におけるＸ線管１５およびコリメータ１６と対向する位置に配置される。
【００３１】
このときには、フラットパネルディテクタ１３を支持するデッキ部２６は、図２および図４に示すように、タワー部２５における被検者Ｍ側の表面より被検者Ｍ側の領域において退避動作を行うことが可能であることから、フラットパネルディテクタ１３を支持するデッキ部２６の高さ位置にかかわらず、この退避動作を実行することが可能となる。このため、従来のイメージインテンシファイア１８およびカメラ１９を使用した近接操作式Ｘ線透視撮影装置の場合のように、退避動作を実行するためにデッキ部２６をタワー部２５の上端より上方の位置に配置する必要がない。従って、オペレータは、この退避動作を容易に実行することが可能となる。
【００３２】
同様に、従来のイメージインテンシファイア１８およびカメラ１９を使用した近接操作式Ｘ線透視撮影装置の場合のように、退避動作を実行するためにデッキ部２６をタワー部２５の上端より上方の位置に配置する必要がないことから、デッキ部２６の高さを十分高く設計しても問題はない。このため、デッキ部２６のサイズを必要なＳＩＤ（Ｓｏｕｒｃｅ  Ｉｍａｇｅ  ｒｅｃｅｐｔｏｒ  Ｄｉｓｔａｎｃｅ／線源受像面間距離）にあわせて任意に設定することが可能となる。
【００３３】
図５は、この発明に係る近接操作式Ｘ線透視撮影装置において、天板２３の表面を鉛直軸方向に向けてＸ線透視を実行する時の概要図である。
【００３４】
例えば、車椅子に座った被検者Ｍに対して嚥下撮影を行う時には、このような姿勢でＸ線透視が実行される。この時には、遊動子２７を図５において仮想線で示す再右端の位置に配置することにより、ＳＩＤを大きく設定することで、大きな車椅子を使用する場合においてもＸ線透視が可能となる。
【００３５】
同様に、ＳＩＤを大きく設定することにより、立位胸部撮影を行うことも可能となる。また、Ｘ線管１５およびコリメータ１６を図５における左右方向に移動させる管球前後動作との組み合わせによりＳＩＤをさらに調整し、グリッド交換を不要とすることも可能となる。
【符号の説明】
【００３６】
１１      Ｘ線管
１２      コリメータ
１３      フラットパネルディテクタ
１４      第２のＸ線検出部
１５      Ｘ線管
１６      コリメータ
２１      基部
２２      本体
２３      天板
２５      タワー部
２６      デッキ部
２７      遊動子
Ｍ        被検者
【図１】
2019213583.tif 000003
【図２】
2019213583.tif 000004
【図３】
2019213583.tif 000005
【図４】
2019213583.tif 000006
【図５】
2019213583.tif 000007
【図６】
2019213583.tif 000008
【図７】
2019213583.tif 000009
【図８】
2019213583.tif 000010
【図９】
2019213583.tif 000011